(57)【要約】【課題】  ムレの発生を無くすとともに違和感を生じずに長時間快適に使用でき、健康を促進できるようにする。【解決手段】  環状バンド１を、吸水性および速乾性に富んだ糸で織ることにより形成する。周方向に適度な伸縮率の弾性糸を織り込む。土踏まず部分に作用する部分を主体として周方向全周にわたる等幅部分２を形成し、足裏部分に作用させる側において、等幅部分２よりも爪先側に突出させる突出部分３を形成し、この突出部分３により、足裏部分の反射区に刺激を付与する領域を拡大するとともに周方向での伸縮率を弱めるように構成する。また、等幅部分２よりも踵側にも爪先側の突出部分３と等しい突出量で突出部分４を形成し、この踵側の突出部分４によっても、足裏部分の反射区に刺激を付与する領域を拡大するとともに周方向での伸縮率を弱めるように構成する。【選択図】        図３
2005177270.tif 000002
【特許請求の範囲】
【請求項１】
環状バンドにより足の土踏まず部分から甲部分にわたるように外嵌する足用健康バンドにおいて、
吸水性および速乾性に富んだ糸で織ることにより前記環状バンドを形成し、前記環状バンドの周方向に適度な伸縮率の弾性糸を織り込み、前記土踏まず部分に作用する部分を主体として周方向全周にわたる等幅部分を形成し、足裏部分に作用させる側において、前記等幅部分よりも爪先側または踵側の少なくとも一方に突出させて突出部分を形成し、足裏部分の反射区に刺激を付与する領域を拡大するとともに周方向での伸縮率を弱めるように構成してあることを特徴とする足用健康バンド。
【請求項２】
請求項１に記載の足用健康バンドにおいて、
等幅部分よりも爪先側および踵側の両方に互いに等しく突出させて突出部分を形成し、足裏部分の反射区に刺激を付与する領域を拡大するとともに周方向での伸縮率を弱めるように構成してある足用健康バンド。
【請求項３】
請求項１または２に記載の足用健康バンドにおいて、
環状バンド内に、周方向に所定間隔を隔てて先端が幅方向両端に存在するように熱融着糸を織り込み、熱融着状態で裁断してある足用健康バンド。
【発明の詳細な説明】
【技術分野】
【０００１】
本発明は、環状バンドにより足の土踏まず部分から甲部分にわたるように外嵌する足用健康バンドに関する。
【背景技術】
【０００２】
足用健康バンドとしては、従来、足の土踏まずを形成させるように、足に外嵌させるように環状バンドで構成し、その環状バンド内の足の土踏まずにピッタリとくるように、磁石や植物の鷹の爪などの突起物を装着し、土踏まずを形成して壷に刺激を与えるように構成したものが知られている（例えば、特許文献１参照）。
【０００３】
また、環状バンドのサポートバンドの部分を布製で作り、床と接着する部分をゴムで作り、更に土踏まず部分を柔らかいゴムで凸型にしたものもあった（例えば、特許文献２参照）。
【特許文献１】特開平１１−１６４８７１号公報（図１）
【特許文献２】特開平１１−７６３６１号公報（図１、図３）
【発明の開示】
【発明が解決しようとする課題】
【０００４】
しかしながら、従来例のものでは、土踏まずの壷部分を主体として、突起物や凸型のゴム部分で刺激を与え、健康を促進するものであるが、使用に伴って、ムレを生じる欠点があった。
また、突起物や凸型のゴム部分に起因して、刺激があるものの違和感を生じやすく、長時間にわたっては使用しづらい欠点があった。
【０００５】
本発明は、上記の点に鑑みてなされたものであって、請求項１に係る発明は、ムレの発生を無くすとともに違和感を生じずに長時間快適に使用でき、健康を促進できるようにすることを目的とし、請求項２に係る発明は、健康を一層促進できるとともに使い勝手に優れるようにすることを目的とし、請求項３に係る発明は、ほつれの発生を防止して耐久性を向上できるようにすることを目的とする。
【課題を解決するための手段】
【０００６】
請求項１に係る発明は、上述のような目的を達成するために、
環状バンドにより足の土踏まず部分から甲部分にわたるように外嵌する足用健康バンドにおいて、
吸水性および速乾性に富んだ糸で織ることにより前記環状バンドを形成し、前記環状バンドの周方向に適度な伸縮率の弾性糸を織り込み、前記土踏まず部分に作用する部分を主体として周方向全周にわたる等幅部分を形成し、足裏部分に作用させる側において、前記等幅部分よりも爪先側または踵側の少なくとも一方に突出させて突出部分を形成し、足裏部分の反射区に刺激を付与する領域を拡大するとともに周方向での伸縮率を弱めるように構成する。
【０００７】
（作用・効果）
請求項１に係る発明の足用健康バンドの構成によれば、吸水性および速乾性に富んだ糸の作用により、足との接触部分で生じた汗を外部に逃がすことができる。
また、等幅部分により環状バンドを土踏まず部分にフィットさせながら、等幅部分よりも爪先側または踵側に突出した部分では弾性糸の伸縮作用を弱めて締め付けによる圧迫感を無くし、かつ、足の動きに伴って等幅部分および突出部分が微小ながらも伸縮し、それに連れて、等幅部分と突出部分とが足裏の接触箇所で足に対して移動して足や足裏の広範囲の反射区に刺激を付与することができる。
【０００８】
したがって、足との接触部分で生じた汗を外部に逃がすから、汗の蒸発に起因して体温を奪うことを防止できるとともにムレの発生を無くすことができる。
しかも、等幅部分と突出部分の足との接触箇所での足に対する移動により、足や足裏の広範囲の反射区に刺激を付与するから、従来のように突起物や凸型のゴム部分で刺激を付与する場合のような違和感を生じることが無く、着用したままで外出できるなど、長時間にわたって快適に使用できる。
更に、長時間使用できながら、歩行による筋肉の収縮に伴って、等幅部分と突出部分とが反射区に刺激を付与してマッサージ効果を付与できるから、足先に至る全身の血液の循環を良好に促すことができるようになり、腰から全身にわたって、体温の低下が無くなり、腰痛や冷え性、更には肩こりを和らげることができるなど、健康促進に大いに寄与できる。
また、血液を良好に循環できるから、内蔵の活性向上にも寄与してダイエット効果も期待できると推測される。
【０００９】
また、請求項２に係る発明は、前述のような目的を達成するために、
請求項１に記載の足用健康バンドにおいて、
等幅部分よりも爪先側および踵側の両方に互いに等しく突出させて突出部分を形成し、足裏部分の反射区に刺激を付与する領域を拡大するとともに周方向での伸縮率を弱めるように構成する。
【００１０】
（作用・効果）
請求項２に係る発明の足用健康バンドの構成によれば、爪先側および踵側の両突出部分によって、足裏部分の反射区に刺激を付与するから、足先に至る全身の血液の循環を一層良好に促すことができるようになり、健康促進に一層大いに寄与できる。
また、土踏まず部分から踵部分の骨が痩せる下肢疾患があり、足底の踵部分にシリコン等の補助支持具を保持させる必要がある人にも、等幅部分と踵側の突出部分とによって補助支持具を良好に保持できるから、汎用性を向上できる。
そのうえ、爪先側および踵側の両突出部分を互いに等しく突出させるから、どちらの向きから履いても広範囲において足裏部分の反射区に刺激を付与でき、健康を一層促進できるとともに使い勝手に優れる。
【００１１】
また、請求項３に係る発明は、前述のような目的を達成するために、
請求項１または２に記載の足用健康バンドにおいて、
環状バンド内に、周方向に所定間隔を隔てて先端が幅方向両端に存在するように熱融着糸を織り込み、熱融着状態で裁断して構成する。
【００１２】
（作用・効果）
請求項３に係る発明の足用健康バンドの構成によれば、熱融着糸を織り込み、熱融着状態で裁断してあるから、使用に伴って、端縁からほつれが生じることを防止でき、耐久性を向上できる
【発明の効果】
【００１３】
請求項１に係る発明の足用健康バンドによれば、吸水性および速乾性に富んだ糸の作用により、足との接触部分で生じた汗を外部に逃がすから、汗の蒸発に起因して体温を奪うことを防止できるとともにムレの発生を無くすことができる。
しかも、等幅部分と突出部分の足との接触箇所での足に対する移動により、足や足裏の広範囲の反射区に刺激を付与するから、従来のように突起物や凸型のゴム部分で刺激を付与する場合のような違和感を生じることが無く、着用したままで外出できるなど、長時間にわたって快適に使用できる。
更に、長時間使用できながら、歩行による筋肉の収縮に伴って、等幅部分と突出部分とが反射区に刺激を付与してマッサージ効果を付与できるから、足先に至る全身の血液の循環を良好に促すことができるようになり、腰から全身にわたって、体温の低下が無くなり、腰痛や冷え性、更には肩こりを和らげることができるなど、健康促進に大いに寄与できる。
また、血液を良好に循環できるから、内蔵の活性向上にも寄与してダイエット効果も期待できると推測される。
【発明を実施するための最良の形態】
【００１４】
次に、この発明の実施例について図面を参照しながら説明する。
【実施例１】
【００１５】
図１は、本発明の足用健康バンドの実施例１を示す平面図、図２は展開図、図３の（ａ）は、使用状態の平面図、図３の（ｂ）は、使用状態の底面図、図４は、使用状態の側面図であり、環状バンド１が、足の土踏まず部分から甲部分にわたって外嵌するように構成されて足用健康バンドが構成されている。
【００１６】
環状バンド１は、吸水性および速乾性に富んだ糸[例えば、テクノファイン（旭化成社製）]で織ることにより形成されている。
また、環状バンド１は、周方向に適度な伸縮率の弾性糸[例えば、ライクラ（オペロンテックス社製）やオペロン糸（東レ・デュポン社製）など]が織り込まれており、図３の（ｂ）に示すように、土踏まず部分に作用する部分を主体として周方向全周にわたる等幅部分２が形成されている。
【００１７】
環状バンド１の足裏部分に作用する面積が甲部分に作用する面積よりも大に構成され、足裏部分に作用させる側において、等幅部分２よりも爪先側に突出させて爪先側の突出部分３が形成され、この突出部分３により、足裏部分の反射区に刺激を付与する領域を拡大するとともに周方向での伸縮率を弱めるように構成されている。
【００１８】
また、等幅部分２よりも踵側にも突出部分４が形成され、この踵側の突出部分４によっても、足裏部分の反射区に刺激を付与する領域を拡大するとともに周方向での伸縮率を弱めるように構成されている。
【００１９】
また、環状バンド１内には、周方向に所定間隔を隔てて先端が幅方向両端に存在するように熱融着糸（ポリエステル繊維）が織り込まれるとともに、熱融着状態で裁断されており、端縁から糸がほつれることを防止して耐久性に優れるように作製されている。
【００２０】
上記構成により、足の土踏まず部分を中心とした、肺、副腎、腎臓、上腕、脾臓、横行結腸、ひじ、下行結腸、尿管、腰椎、十二指腸、膵臓、胃、噴門、胸椎、腹腔神経叢、幽門、胆のう、虫垂などといった多様な部位に効果がある反射区に刺激を付与し、足先に至る全身の血液の循環を良好に促し、腰痛や冷え性、更には肩こりを和らげることができるなど、健康促進に大いに寄与できるようになっている。
【００２１】
また、従来のような突起物や凸部などが無いために、違和感が無く、しかも、この足用健康バンドを装着したままで靴下類を履いたり靴を履いて外出することができ、外出などのたびに着けたり外したりするといった日常での煩わしさも無く、極めて有用である。
【００２２】
環状バンド１は、弾性糸と、吸水性および速乾性に富んだ糸（以下、吸水糸と称する）との幅方向における比率が、例えば、１：３で、弾性糸間に３本の吸水糸が存在するように織り込まれて作製される。
また、吸水糸と熱融着糸との長手方向における比率が、例えば、１：３で、弾性糸間に３本の吸水糸が存在するように織り込まれて作製される。
上記比率は、得ようとする伸縮率や強度などに応じて適宜設定されるものである。
【実施例２】
【００２３】
図５は、本発明の足用健康バンドの実施例２を示す平面図、図６は展開図、図７の（ａ）は、使用状態の平面図、図７の（ｂ）は、使用状態の底面図、図８は、使用状態の側面図であり、実施例１と異なるところは次の通りである。
【００２４】
すなわち、踵側よりも爪先側の方が、反射区の面積が大きいことに着目して、爪先側の突出部分３よりも突出量の少ない状態で踵側の突出部分４ａが形成されている。
この実施例２の構成によれば、生地の使用量を少なくしながら、有効に反射区に刺激を付与できる。
【実施例３】
【００２５】
図９は、本発明の足用健康バンドの実施例３を示す平面図、図１０は展開図であり、実施例２と異なるところは次の通りである。
【００２６】
すなわち、等幅部分２を形成するときに、実施例２では、自然状態での環状径が踵側よりも爪先側の方が大きくなるようにしているのに対し、この実施例３では、逆に、爪先側よりも踵側の方が大きくなるように構成している。他の構成は実施例２と同じである。
【００２７】
上記実施例では、踵側および爪先側の両方に突出部分３，４，４ａを形成しているが、本発明としては、爪先側または踵側のいずれか一方にのみ突出部分を形成するものでも良い。反射区の分布面積を考慮すれば、踵側に突出部分を形成するのが好ましい。
【図面の簡単な説明】
【００２８】
【図１】本発明の足用健康バンドの実施例１を示す平面図である。
【図２】展開図である。
【図３】（ａ）は使用状態の平面図、（ｂ）は使用状態の底面図である。
【図４】使用状態の側面図である。
【図５】本発明の足用健康バンドの実施例２を示す平面図である。
【図６】展開図である。
【図７】（ａ）は使用状態の平面図、（ｂ）は使用状態の底面図である。
【図８】使用状態の側面図である。
【図９】本発明の足用健康バンドの実施例３を示す平面図である。
【図１０】展開図である。
【符号の説明】
【００２９】
１…環状バンド
２…等幅部分
３…爪先側の突出部分
４，４ａ…踵側の突出部分
【図１】
2005177270.tif 000003
【図２】
2005177270.tif 000004
【図３】
2005177270.tif 000005
【図４】
2005177270.tif 000006
【図５】
2005177270.tif 000007
【図６】
2005177270.tif 000008
【図７】
2005177270.tif 000009
【図８】
2005177270.tif 000010
【図９】
2005177270.tif 000011
【図１０】
2005177270.tif 000012